(57)【要約】  共通の送信ポイントのアイデンティティを有する送信ポイントの無線広域ネットワーク（WWAN）内のクラスタについての干渉の軽減に対して、ICIC（Inter-Cell  Interference  Coordination）及びeICIC（enhanced  ICIC）のような周波数及び時間に基づく手法を拡張する技術について説明する。同じ送信ポイントのアイデンティティを共有する複数の送信ポイントの間で、異なる送信ポイントの特徴に関連付けられた複数の送信電力メッセージが構成され得る。これらの複数の送信電力メッセージは、異なる周波数において隣接する送信ポイントからの送信を協調させるために使用されてもよい。更に、異なる送信ポイントの特徴を関連付けるために、参照信号の新たなセットが構成され得る。これらの新たな関連付けられた参照信号は、同じ送信ポイントのアイデンティティを有する送信ポイントの他のセットにより送信された参照信号から、送信ポイントの１つのセットへのフィードバックを提供するために使用される測定を分離するために使用されてもよい。
2015511091.tif 000002
【特許請求の範囲】
【請求項１】
無線送信ポイントのクラスタの間で干渉を軽減する方法であって、
下りリンク（DL）送信ポイントにおいて、前記DL送信ポイントが電力閾値以上の電力で送信するように設定されるリソースブロックの第１のセットと、前記DL送信ポイントが前記電力閾値未満で送信するように設定されるリソースブロックの第２のセットとを示すRNTP（Relative  Narrowband  Transmit  Power）メッセージを構成するステップと、
前記DL送信ポイントが関係する協調マルチポイント（CoMP）クラスタの共通のセル識別情報（Cell-ID）とは異なる前記RNTPメッセージに対応する前記DL送信ポイントの属性を識別するステップであり、前記共通のCell-IDは、前記CoMPクラスタ内の少なくとも１つの他の送信ポイントにも関係するステップと、
前記DL送信ポイントが前記電力閾値未満の電力で送信するように設定されたリソースブロックと同じ周波数範囲内のリソースブロックにおいて、少なくとも１つの更なる送信ポイントが前記DL送信ポイントの境界近くの無線モバイルシステムをスケジューリングすることを可能にするため、バックホールリンクを介して少なくとも１つの更なる送信ポイントに前記RNTPメッセージを送信するステップと
を有する方法。
【請求項２】
前記属性は、前記DL送信ポイントが属する前記CoMPクラスタ内で、前記DL送信ポイントが高電力の送信ポイント及び低電力の送信ポイントのうち１つであるという指示を有する、請求項１に記載の方法。
【請求項３】
前記高電力の送信ポイントは、MCN（MaCro-Node）eNodeB（evolved  Node  B）であり、前記低電力の送信ポイントは、マイクロセル、ピコセル、フェムトセル、ホームeNodeBセル（HeNB）、遠隔無線ヘッド（RRH）、遠隔無線装置（RRE）及びリピータのうち１つである、請求項２に記載の方法。
【請求項４】
前記属性は、前記DL送信ポイントが属する前記CoMPクラスタ内で前記DL送信ポイントに固有の識別情報を有し、
前記識別情報は、仮想セル識別情報及び前記CoMPクラスタの送信ポイントの送信ポイントインデックス内のインデックス値のうち１つを有する、請求項１に記載の方法。
【請求項５】
前記リソースブロックの第１のセット及び前記リソースブロックの第２のセットのうち１つにリソースブロックを含めるか否かを決定する前に、前記DL送信ポイントが属する前記CoMPクラスタにおける送信のための最大送信電力により、リソースブロックについて設定された電力を正規化するステップを更に有する、請求項１ないし４のうちいずれか１項に記載の方法。
【請求項６】
前記電力閾値は、前記DL送信ポイントが属する前記CoMPクラスタ内において、前記DL送信ポイントの属性に固有である、請求項１ないし４のうちいずれか１項に記載の方法。
【請求項７】
無線通信の送信ポイントのクラスタ化のシナリオにおいて干渉を軽減するシステムであって、
実装する送信ポイントにおいて、リソースブロックのセットからの少なくとも１つのリソースブロックが所定の閾値より上の電力レベル及び所定の電力レベルより上でない電力レベルのうち１つの電力レベルでの下りリンク（DL）送信にスケジューリングされているか否かを示すRNTP（Relative  Narrowband  Transmit  Power）メッセージを生成する手段と、
前記実装する送信ポイントが関係する協調マルチポイント（CoMP）クラスタの少なくとも１つの他の送信ポイントに共通するセル識別情報（Cell-ID）を前記実装する送信ポイントが有する場合、前記RNTPメッセージが生じる前記実装する送信ポイントと区別する情報を前記RNTPメッセージに提供する手段と、
少なくとも１つのバックホールリンクで前記実装する送信ポイントから少なくとも１つの隣接する送信ポイントに前記RNTPメッセージを通信する手段と
を有するシステム。
【請求項８】
前記実装する送信ポイントを区別する情報を提供する手段は、前記送信ポイントが高電力の送信ポイント及び低電力の送信ポイントのうち１つであるか否かに関して、前記RNTPメッセージに指示を提供する、請求項７に記載のシステム。
【請求項９】
前記高電力の送信ポイント及び前記低電力の送信ポイントは、前記CoMPクラスタに属し、
前記CoMPクラスタは、前記CoMPクラスタ内の送信ポイントの間で送信活動を協調させる機能を実装し、
少なくとも１つの送信ポイントに前記RNTPメッセージを通信する手段は、前記CoMPクラスタの外部に前記RNTPメッセージを通信する、請求項８に記載のシステム。
【請求項１０】
リソースブロックは、物理リソースブロック（PRB）内に12個のサブキャリアを有し、
前記バックホールリンクはX2インタフェースであり、
前記高電力の送信ポイントは、MCN（MaCro-Node）eNodeB（evolved  Node  B）であり、
前記低電力の送信ポイントは、マイクロセル、ピコセル、フェムトセル、ホームeNodeBセル（HeNB）、遠隔無線ヘッド（RRH）、遠隔無線装置（RRE）及びリピータのうち１つである、請求項８又は９に記載のシステム。
【請求項１１】
前記実装する送信ポイントを区別する情報を提供する手段は、仮想セル識別情報及び送信ポイントインデックスに対応するインデックス値のうち１つを提供し、
前記仮想セル識別情報及び前記インデックス値は、前記CoMPクラスタの間で前記実装する送信ポイントを一意に識別し、
前記CoMPクラスタは、前記CoMPクラスタのメンバの送信ポイントの間で送信活動を協調させる機能を提供する、請求項７に記載のシステム。
【請求項１２】
前記実装する送信ポイントが比較的高電力レベルに対応する場合の前記実装する送信ポイントからの前記RNTPメッセージの第１の閾値レベルと、前記実装する送信ポイントが比較的低電力レベルに対応する場合の前記RNTPメッセージの第２の閾値レベルとのうち１つを決定する手段を更に有する、請求項７、８、９及び１１のうちいずれか１項に記載のシステム。
【請求項１３】
送信ポイントの間の干渉を測定する方法であって、
実装する送信ポイントにおいて、干渉を測定する際に使用されるチャネル状態情報参照信号（CSI-RS）のセットを構成するステップと、
前記CSI-RSのセットを前記実装する送信ポイントの少なくとも１つの特徴に関連付けるステップであり、前記少なくとも１つの特徴は、少なくとも１つの更なる送信ポイント及び前記実装する送信ポイントの双方が属する協調マルチポイント（CoMP）クラスタにおいて少なくとも１つの更なる送信ポイントから前記実装する送信ポイントを区別するステップと、
少なくとも１つのユーザ装置（UE）が前記CoMPクラスタにおいて前記実装する送信ポイントに特有の干渉測定を行うために前記CSI-RSのセットを使用することを可能にするため、前記CSI-RSのセットについての情報を、前記実装する送信ポイントに関連する少なくとも１つのUEに通信するステップと
を有する方法。
【請求項１４】
干渉測定がABS（Almost  Blank  Sub-frame）パターンと関連付けられることが可能になるように、前記少なくとも１つの更なる送信ポイントのABSパターンの周期と実質的に同様の周期で送信する前記CSI-RSのセットを構成するステップを更に有する、請求項１３に記載の方法。
【請求項１５】
前記CSI-RSのセットの決定は、前記少なくとも１つの更なる送信ポイントの前記ABSパターンのABSでの干渉の測定に専用のCSI-RSの第１のサブセットと、非ABSでの干渉の測定に専用のCSI-RSの第２のサブセットとを有するCSI-RSのセットを決定することを更に有する、請求項１４に記載の方法。
【請求項１６】
周期的な測定報告を提供するように前記少なくとも１つのUEを構成するステップを更に有し、
前記周期的な測定報告は、前記CSI-RSの第１のサブセットの第１の測定についての第１の測定報告と、前記CSI-RSの第２のサブセットの第２の測定についての第２の測定報告とを含む、請求項１４又は１５に記載の方法。
【請求項１７】
どのサブセットが非周期的な干渉測定の起動に時間的に最も近いかに応じて、前記CSI-RSの第１のサブセット及び前記CSI-RSの第２のサブセットのうち１つで実行されるように構成された前記少なくとも１つのUEでの非周期的な干渉測定を起動するステップを更に有する、請求項１４又は１５に記載の方法。
【請求項１８】
前記少なくとも１つのUEが前記CSI-RSで測定された信号を干渉に起因させることを可能にするため、実質的にゼロの電力で送信する前記CSI-RSのセットを生成するステップを更に有する、請求項１３に記載の方法。
【請求項１９】
前記少なくとも１つの特徴は、前記実装する送信ポイントが閾値電力レベルより上で送信するか否かにより規定された第１の特徴と、前記実装する送信ポイントのアイデンティティにより規定された第２の特徴のうち１つを有し、
前記アイデンティティは、仮想セル識別情報及び前記実装する送信ポイントが属する前記CoMPクラスタの送信ポイントの送信ポイントインデックスに対応するインデックス値のうち１つに対応する、請求項１３に記載の方法。
【請求項２０】
前記CoMPクラスタは、CoMPシナリオ3のクラスタ及びCoMPシナリオ4のクラスタのうち１つである、請求項１３、１４、１５、１８及び１９のうちいずれか１項に記載の方法。
【発明の詳細な説明】
【背景技術】
【０００１】
無線広域ネットワーク（WWAN：Wireless  Wide  Area  Network）規格内での帯域幅の需要は常に増加している。また、ストリーミングビデオのような更なるデータ集約的なサービス及び高容量の局所トラヒックは、無線通信タワー（tower）の間の境界近くを含み、WWANを通じたサービスの均一性の改善についての需要を生じている。これらの需要に対処するために、スペクトルは、互いに近い無線通信タワーにより再利用されている。
【０００２】
更に、WWANは、異種ネットワークのタワーをサポートするようになってきている。これらの異種ネットワークは、比較的強力なタワーのカバレッジエリア内で比較的低電力のタワーを使用する。比較的低電力のタワーは、高トラヒックのエリア及び／又は比較的強力なタワーにより不完全にカバーされる領域において、カバレッジの均一性を改善することができる。これらはまた、比較的強力なタワーからのトラヒックのいくつかをオフロード（負荷軽減）することにより、帯域幅を増加させることができる。
【０００３】
サービスの均一性を改善する他の手法として、タワーは、協調クラスタ（coordinated  cluster）にグループ化されることができる。これらのクラスタは、複数のタワーが単一の無線デバイスに送信し、単一の無線デバイスからの送信を受信することができるように協調してもよい。複数の送信ポイントからの受信及び送信機能を結合することにより、特に隣接するタワーのカバレッジエリア間の境界において、無線モバイルデバイスのサービスを改善することができる。
【発明の概要】
【発明が解決しようとする課題】
【０００４】
しかし、帯域幅の増加に対するこれらの手法のそれぞれはまた、WWANの複雑性を増加させる。近い周波数の再利用、カバレッジエリアの重複、送信の増加を含み、これらの手法を行うことは、複雑性を増加させるだけでなく、干渉及び他の問題の可能性を増加させる。更に、このような干渉の可能性の増加に対する対策は、複雑性の増加から生じる狭い範囲に制限される。
【図面の簡単な説明】
【０００５】
【図１】一例により、地理的に近い送信ポイントによる周波数再利用及び異種送信ポイントの重複するカバレッジエリアが様々な形式の干渉の可能性を生成するときの無線ローカルエリアネットワーク（WLAN：Wireless  Local  Area  Network）内の高電力の送信ポイントの対を示すブロック図
【図２】一例により、カバレッジエリア間干渉を軽減するために使用され得る直交周波数分割多重（OFDM：Orthogonal  Frequency  Division  Multiplexing）変調方式内での物理リソースブロック（PRB：Physical  Resource  Block）を示すブロック図
【図３】一例による協調マルチポイント（CoMP：Coordinated  Multi-Point）環境内でのジョイント送信（JT：Joint  Transmission）及び／又はダイナミックポイント選択（DPS：Dynamic  Point  Selection）を示すブロック図
【図４】一例により、分散した送信ポイントが共通のアイデンティティを共有し得るCoMPシナリオの例を示すブロック図
【図５】干渉回避送信機会を隣接するタワーに確実に報告できない高電力及び低電力の送信ポイントの共有の送信電力メッセージの形成を示すブロック図
【図６】一例により、干渉回避送信機会を隣接するタワーに確実に報告するための複数の送信タワーの使用を示すブロック図
【図７】チャネル情報の信頼性の高い測定を妨げる高電力及び低電力の送信ポイントからの一致する参照信号を示すブロック図
【図８】一例により、フィードバックの信頼性の高い測定を提供するために、１つ以上の送信ポイントの特徴／属性に互いに関連してブランキングパターン（blanking  pattern）と位置合わせされた参照信号の対の使用を示すブロック図
【図９】他の例により、無線送信ポイントのクラスタの間で干渉を軽減するために周波数範囲に関して送信電力レベルについての送信ポイント特有のメッセージを提供する処理を示すフローチャート
【図１０】一例により、異なる送信特性を用いて同様に識別された送信ポイントのクラスタ化のシナリオにおいて干渉を低減するデバイスを示すブロック図
【図１１】一例により、異なる送信特性を用いて同様に識別された送信ポイントのクラスタ内で送信ポイント特有のフィードバックの測定用の送信ポイント特有の参照信号を提供する処理を示すフローチャート
【図１２】一例により、無線送信ポイントのクラスタ化処理におけるフィードバック測定の混乱を軽減するデバイスを示すブロック図
【図１３】他の例によるUEのブロック図
【発明を実施するための形態】
【０００６】
本発明の特徴及び利点は、添付図面と共に考慮される以下の詳細な説明から明らかになる。添付図面及び詳細な説明は、共に本発明の特徴を一例として示している。
【０００７】
例示的な実施例に言及が行われる。ここでは同じものを説明するために特定の用語が使用される。それにも拘わらず、これによって本発明の範囲の制限を意図するものではないことが分かる。
【０００８】
本発明について開示及び説明する前に、本発明は、ここに開示された特定の構成、処理ステップ又は素材に限定されず、当業者により認識されるその等価物にも及ぶことが分かる。また、ここで使用される用語は、特定の実施例を説明する目的でのみ使用され、限定を意図するものではないことが分かる。
【０００９】
＜定義＞
無線モバイルデバイスの異なる用語が異なる仕様で使用される。ここで使用される無線モバイルデバイスは、特に、ユーザ装置（UE：User  Equipment）又は移動局（MS：Mobile  Station）でもよい。この出願を通じて、無線モバイルデバイス、UE及びMSという用語が同義的に使用され得る。
【００１０】
ここで使用される“セルラ無線タワー”という用語は、セルと呼ばれる地理的領域内に位置する複数の無線モバイルデバイスと通信するように構成された無線広域ネットワーク（WWAN：Wireless  Wide  Area  Network）における無線通信デバイスとして定義される。異なる仕様では、セルラ無線タワーについて異なる用語が使用される。異なる種類のセルラ無線タワーに使用される用語は、基地局（BS：Base  Station）、eNodeB又はeNB（evolved  Node  B）、WWAN送信ポイント、送信ポイント及びWWANノードを含み得るが、これらに限定されない。これらの用語は、特に言及しない限り、同義的に使用される。BS又はeNodeBの実際の定義は、IEEE（Institute  of  Electronics  and  Electrical  Engineers）802.16及び3GPP（Third  Generation  Partnership  Project）の仕様に提供されている。
【００１１】
ここで使用される“実質的に”という用語は、完全又はほぼ完全な範囲又は程度の動作、特徴、特性、状態、構成、項目又は結果を示す。例えば、“実質的に”囲まれた物体は、物体が完全に囲まれたこと又はほぼ完全に囲まれたことを意味する。絶対的な完全性からの正確な許容度の逸脱は、或る場合には特定の状況に依存し得る。しかし、一般的に言えば、完全性の近さは、絶対的且つ包括的な完全性が得られるかのような同じ全体の結果を有するようなものである。“実質的に”の使用は、動作、特徴、特性、状態、構成、項目又は結果の完全な欠如又はほぼ完全な欠如を示すために否定的な意味で使用される場合にも同等に適用可能である。
【００１２】
他の用語は、この明細書の本文のどこかで定義されることがある。
【００１３】
＜例示的な実施例＞
技術的な実施例の冒頭の概要が以下に提供され、次に、特定の技術的な実施例が更に詳細に以下に記載される。この冒頭の概要は、読者が技術を迅速に理解することを支援するのを意図しており、技術の主な特徴又は必須の特徴を特定することを意図するものではなく、特許請求の範囲の対象範囲を限定することを意図するものでもない。
【００１４】
無線広域ネットワーク（WWAN：Wireless  Wide  Area  Network）は、スペクトル効率を増加させるために、異なる種類の送信ポイントの重複且つ隣接するカバレッジエリアを備えた同種及び異種ネットワークを含んでもよい。これらの重複且つ隣接するカバレッジエリアから生じ得る干渉の問題を回避するために、異なる周波数及び異なる時間で送信を協調させるための手法が策定されている。3GPPに関して、異なる周波数での協調は、セル間干渉制御（ICIC：Inter-Cell  Interference  Coordination）の標準で実現されている。時間に関しては、特に固定の周波数割り当てでの通信リソースについての干渉の協調は、eICIC（enhanced  ICIC）の標準で実現されている。
【００１５】
しかし、ICIC及びeICICのようなこれらの周波数及び時間に基づく手法は、送信ポイントのアイデンティティ（identity）に基づいて送信を協調させる。しかし、いくつかの異種ネットワークのシナリオは、同じアイデンティティで複数の送信ポイントをクラスタ化する。RRHのようないくつかの送信ポイントの性質は、依存するeNodeBのような他の送信ポイントと送信ポイントのアイデンティティを共有するように、これらの送信ポイントを貸し出す。不都合なことに、送信ポイントのアイデンティティに基づく周波数及び時間の協調に従来の手法を適用することは、複数の送信ポイントが同じアイデンティティを共有する場合に混乱及び問題をもたらす。これらの問題は、フィードバック情報を提供するために使用される測定のような送信の協調に関する副次的な機能に及ぶ可能性がある。
【００１６】
しかし、ICIC及びeICICのような手法は、複数の送信ポイントが同じ送信ポイントのアイデンティティを共有するシナリオにも拡張可能である。異なる送信ポイントが異なる範囲の周波数についてスケジューリングされるときの電力レベルについてのメッセージを生成するために異なる手法が使用され得る。これらのメッセージは、送信ポイントのアイデンティティ以外の特徴又は属性に基づいてもよい。これらの特徴／属性は、共通の送信ポイントのアイデンティティを共有する送信ポイントを区別／識別してもよい。干渉しない方法で異なる周波数の送信を協調させるために、メッセージが送信ポイントの隣接するクラスタの間で通信されてもよい。
【００１７】
送信の時間に基づく協調に関して、共通の送信ポイントのアイデンティティを有する複数の送信ポイントは、関係するフィードバック測定について問題になり得る。これらの測定は、送信ポイントのアイデンティティに基づいて構成されて割り当てられた参照信号に基づき得る。その結果、複数の送信ポイントは、同じリソースに割り当てられた同じ参照信号を送信する可能性があり、混乱した不正確な測定をもたらす。
【００１８】
これらの不正確さに対処するために、送信ポイントのアイデンティティの他に、新たな参照信号のセットが異なる送信ポイントの特徴／属性に互いに関連するように構成されてもよい。これらの新たな互いに関連する参照信号は、同じ送信ポイントのアイデンティティを有する異なる送信ポイントから参照信号を分離するために使用されてもよい。分離された参照信号は、正確な測定をもたらすことができ、正確なフィードバックをもたらすことができる。周波数及び時間の協調に対する従来の手法を、複数の送信ポイントが共通の送信ポイントのアイデンティティを共有するシナリオに拡張する手法についての更なる詳細は、以下に説明する。
【００１９】
図１は、第１の高電力の送信ポイント102のカバレッジエリア内の比較的低電力の送信ポイント108についての更なるカバレッジエリア110と共に、比較的高電力の送信ポイント102、103の対のカバレッジエリアの対100、101を示している。高電力の送信ポイントの対の近さは、カバレッジエリア間干渉118を生じる可能性がある。同様に、異種送信ポイント102、108の重複するカバレッジエリア100、110は、カバレッジエリア内干渉126の可能性を生成し得る。
【００２０】
第１の高電力の送信ポイント102は、基地局（BS）及び／又はマクロノード（MCN：MaCro-Node）eNodeB（evolved  Node）でもよく、また、第２の高電力の送信ポイント103にも当てはまる。ここで使用される高電力の送信ポイントは、MCNという用語と置換されてもよく、その逆も同様である。比較的低電力の送信ポイント102は、低電力ノード（LPN：Low  Power  Node）でもよい。ここで使用されるLPNは、マイクロセル、ピコセル、フェムトセル、ホームeNodeBセル（HeNB：home  eNodeB  cell）、遠隔無線ヘッド（RRH：Remote  Radio  Head）、遠隔無線装置（RRE：Remote  Radio  Equipment）及びリピータでもよい。ここで使用される低電力の送信ポイントという用語は、LPN又は前述の変形のいずれかの用語と置換されてもよく、LPNという用語は、低電力の送信ポイントという用語と置換されてもよい。更に、この開示で説明する実施例の一般性の重要な言及として、3GPP（Third  Generation  Partnership  Project）のLTE（Long  Term  Evolution）標準の用語がこの明細書を通じてしばしば使用されるが、これは限定的であることを意図するものではなく、このポイントを更に伝えるために、この明細書の一部において更に一般的な用語を使用した例外が存在する。
【００２１】
第１のカバレッジエリア100は、３つの異なる実質的に六角形のセル104a-cのセットを有する。ここで使用されるセルという用語は、送信ポイントが無線モバイルデバイスと通信することができる地理的領域を示す。３つのセルは、第１の送信ポイント102からの３つの送信方向106a-cから生じる。図１において、３つの送信方向106a-cの中心は３つの矢印で示されている。第２の高電力の送信ポイント／MCN103もまた、図示のように異なる送信方向から生じる３つの実質的に六角形のセルにより規定される。
【００２２】
不都合なことに、第２のカバレッジエリア101と第１のカバレッジエリア100との間の境界にあるユーザ装置（UE：User  Equipment）でもよい第１の無線モバイルデバイス112は、カバレッジエリア間干渉118を受ける可能性がある。例えば、第１のUEの意図した下りリンク（DL：Down  Link）送信114は、第２のMCN103から第１のUEに送信されてもよい。しかし、第１のUEはまた、第１のMCN102からの漏れたDL送信116により照射され得る。図１に示すシナリオでは、これらの漏れたDL送信は、カバレッジエリア間干渉118を生じる可能性がある。
【００２３】
カバレッジエリア間干渉118の他の例として、第２のMCN103で受信された第１のUE112からの上りリンク（UL：Up  Link）送信が第１のMCN102からの漏れたDL送信と共に受信されたシナリオにおいても問題が生じる可能性がある。更に、カバレッジエリア間干渉は、１つより多くの隣接するeNodeB／送信ポイントからの干渉を含み得る。或る場合には、LPNも問題に寄与し得る。
【００２４】
カバレッジ内干渉126も問題になり得る。図１に示すWWANは、その中の異なる種類の送信ポイントのため、異種として記述されてもよい。第１の送信ポイント102のカバレッジエリア100内の第１のセル104aにおいて、LPN108は、更なるカバレッジエリア110を生成する。この更なるカバレッジエリアは、局所トラヒックの高い集中に対するサービスの良好な均一性を提供してもよく、及び／又は第１のセル104a内で弱くしかカバーされ得ない境界において均一性の改善を提供してもよい。
【００２５】
しかし、更なるカバレッジエリア110による第１のセル104の重複は、様々な形式のカバレッジエリア内干渉126を生じる可能性がある。例えば、更なるカバレッジエリア110内の第２のUE120は、UL送信122をLPN108に送信してもよい。しかし、このUL送信は、第１のMCN102からの漏れたDL送信124により干渉になり得る。他の例では、漏れたDL送信は、LPNから第２のUEへのDL送信と干渉し得る。更なる送信ポイントからの干渉はまた、問題に追加され得る。
【００２６】
図１に示す空間の近さ及び重複、帯域幅及びカバレッジの均一性を改善するために使用される技術系は、干渉の可能性に寄与する。しかし、これらのみが、干渉が生じ得るか否かを決定するときの要因ではない。干渉する送信及び送信の受信は、時間及び周波数に関する重複も含む。多くの現代のWWANにおける送信及び受信についての時間及び周波数に関する無線リソースは、直交周波数分割多重（OFDM：Orthogonal  Frequency  Division  Multiplexing）変調方式のバージョンにより規定されている。
【００２７】
図２は、3GPP  LTEによる１つの種類のDL送信の例示的なOFDM変調方式を示す時間及び周波数に関する分割を示している。しかし、他のOFDM及び非OFDM変調方式も可能である。この例における時間に関して、単一の無線フレーム202は、10ミリ秒（ms）の下りリンク送信信号を有するように規定されたフレームのストリームから示されている。フレームは、それぞれ1msの長さの１０個のサブフレーム204に区分又は分割されてもよい。サブフレームは、２つのスロット206に更に細分されてもよく、スロットは0.5msの持続時間を有する。
【００２８】
スロット206の0.5msの持続時間は、物理リソースブロック（PRB（Physical  Resource  Block）又はRB）208a-xの時間的な持続時間と同時に生じてもよい。3GPP  TS36.211のセクション5.2.3及び6.2.3に更に規定されるように、PRBは、3GPPのLTE標準内で送信ポイントのスケジューラユニットにより割り当てられるリソース割り当ての最小単位でもよい。他の標準も、リソース割り当ての目的で時間及び周波数に関して同様の単位を規定している。その0.5msの時間的な区間に加えて、PRBはまた、周波数の範囲にも及ぶ。図２の周波数に関してPRBの増加級数により示されるように、個々のPRBは異なる周波数区間を有する。
【００２９】
より具体的には、個々のPRB208a-xは、サブキャリア毎に、12個の異なる15kHzのサブキャリア208k-2（周波数軸）及び6又は7個のOFDMシンボル208k-2（時間軸）を含んでもよい。周波数及び時間次元に関して様々なサブキャリア及びOFDMシンボルは、84個のリソースエレメント（RE：resource  element）210のグリッドを生成してもよい。ただし、PRB208kは7個のOFDMシンボルを有する。REは、BPSK（Bi-Phase  Shift  Keying）の場合の単一のビットから、64QAM（Quadrature  Amplitude  Modulation）の場合の6ビットまで、使用される変調に依存して異なるビット量を送信してもよい。
【００３０】
異なるPRB208a-xに対応する異なる周波数又は他の同様なリソース割り当ての単位は、干渉の問題を回避するために使用されてもよい。送信ポイントの間の小さい協調は、この干渉の回避を可能にすることができる。以下の図面はこれを示すために使用され得る。
【００３１】
図３は、協調され得るWWANの一部を示している。3GPP  LTE標準では、このような協調は、協調マルチポイント（CoMP：Coordinated  Multi-Point）と呼ばれ得る。図１と同様に、図３は、MCN  eNodeB302でもよい高電力の送信ポイントのカバレッジエリア300を示している。カバレッジエリアは、３つの異なる送信方向306a-cから生じる３つの異なる実質的に六角形のセル304a-cのセットを有する。また、LPNでもよい第１の比較的低電力の送信ポイント308aと、同様にLPNでもよい第２の比較的低電力の送信ポイントとがカバレッジエリア内にある。
【００３２】
第１のLPN308a及び第２のLPN308bは、第１の更なるカバレッジエリア310a及び第２の更なるカバレッジエリア310bを生じる。第１のLPN308aは、第１のバックホールリンク312aでMCN302と通信するように構成されてもよい。更に、第２のLPN308bは、第２のバックホールリンク312bでMCN302と通信するように構成されてもよい。更に、バックホールリンクは、第１のLPNと第２のLPNとの間に確立されてもよい。
【００３３】
様々なバックホールリンク312で実現される協調は、様々な方法で使用されてもよい。例えば、サービスの均一性を増加させるために使用されてもよい。カバレッジエリア300と第１及び第２の更なるカバレッジエリア310a、310bとの境界エリアの近くに、無線モバイルデバイス314が存在し、これはUEでもよい。UEの地理的位置のため、他の位置で受信し得るのと同じカバレッジの均一性をUEに提供する際に問題が生じ得る。
【００３４】
カバレッジの均一性を改善するために、バックホールリンク312は、第２のLPN308bからUE314への第２の送信318と共通のフェーズになる第１のLPN308aからの第１の送信316を協調させるために使用されてもよい。共通のフェーズ（co-phase）の送信として、第１及び第２の送信は同時に行われてもよい。3GPP  LTEによれば、このような同時送信は、ジョイント送信（JT：Joint  Transmission）と呼ばれる。同様の手法は、UEからのUL送信のジョイント受信に関して行われてもよい。或いは、UEへの送信又はUEからの受信のための送信ポイントは、チャネル品質の変化に依存して、協調バックホールリンクの支援により動的に変更されてもよい。3GPP  LTEでは、このような動的な変更は、ダイナミックポイント選択（DPS：Dynamic  Point  Selection）と呼ばれる。
【００３５】
様々なバックホールリンク312で実現される協調はまた、異なるPRB208a-xに対応する異なる周波数又は他の同様なリソース割り当ての単位を利用するために使用されてもよい。ここで使用される“PRB”という用語は、“リソース割り当ての単位”、“リソースブロック”及び同様の用語に置換されてもよく、その逆も同様である。例えば、MCN302が様々な周波数に依存したリソース割り当ての単位／PRBで送信するようにスケジューリングされた電力レベルは、MCNとLPN308a、308bとの間のバックホールリンクで通信されてもよい。この情報を用いて、第１のLPN308aは、干渉を回避するために、MCNが高電力レベルで送信するようにスケジューリングされた周波数と異なる周波数で、UEでもよい無線モバイルデバイス314の第１のLPN送信316をスケジューリングしてもよい。同様の手法は、LPN及び／又はMCNの間で使用されてもよい。複数のLPN及び／又はMCNの間で同様の手法が使用されてもよい。異なる周波数でのスケジューリングされた電力レベルの通信は、3GPP  LTEにおいてICICとして知られている。
【００３６】
異なる周波数では、図１に示す空間の近さ及び重複は、もはや干渉の潜在的なシナリオを示さない。しかし、WWANが帯域幅及びサービスの均一性を増加させるためにますます複雑になると、とりわけ、周波数送信の協調も複雑になる。更なる複雑性の一例について、以下の図面を用いて説明する。
【００３７】
図４は、分散した送信ポイントの間で共通のアイデンティティを共有することにより、分散した送信ポイントが干渉の回避を複雑にするシナリオを示すブロック図である。この場合も同様に、MCNでもよい比較的高電力の送信ポイント402のカバレッジエリア400が示されている。カバレッジエリア内に、複数の比較的低電力の送信ポイント408a-fが示されている。比較的低電力の送信ポイントは、遠隔無線ヘッド（RRH：Remote  Radio  Head）トランシーバでもよい。
【００３８】
RRHトランシーバ408a-fは、情報を通信するため及び／又は送信を協調させるため、MCN402へのバックホールリンク412a-fをそれぞれ含んでもよい。バックホールリンクはまた、RRHトランシーバを、共通の送信ポイント／MCN  eNodeB402に存在するそれぞれの制御パネルに接続する役目を有してもよい。RRHトランシーバの制御エンティティが遠隔のeNodeBに存在するだけでなく、RRHトランシーバは、そのeNodeB402と送信ポイントとしてのアイデンティティを共有する。他の種類の送信ポイントも、複数の分散した送信ポイントに共通する共有の送信ポイントアイデンティティのこの同じ特徴／属性を共有してもよい。図４に示すような共通のeNodeB402のカバレッジエリア400内の分散したRRHは、3GPP  LTEのCoMPシナリオ3及び4と一致する。
【００３９】
単一の送信ポイントのアイデンティティが複数の分散した送信ポイントの間で共有される図４に示すようなシナリオは、有利になり得る。例えば、参照信号及び／又は制御信号のリソースの割り当ては、送信ポイントのアイデンティティに基づいてもよい。従って、共通の送信ポイントのアイデンティティは、共通のリソース割り当てを生じる。異なる送信ポイントでの共通のリソース割り当ては、協調送信のシナリオにおける他の送信ポイントからのデータのような他の情報と、これらの参照信号及び／又は制御信号との間の衝突を回避することができる。
【００４０】
例えば、3GPP  LTEのCoMPシナリオ3及び4では、共通の送信ポイントのアイデンティティは、セル特有の参照信号（CRS：Cell-specific  Reference  Signal）について共通のリソース割り当てを生じる。3GPP  LTEでは、ECGI（E-UTRAN（Evolved-Universal  Terrestrial  Radio  Access  Network）  Cell  Global  Identifier）は、送信ポイントのアイデンティティの一例を提供する。CRSについての送信ポイントの協調クラスタの全ての送信ポイントにおける共通のリソース割り当ては、同様に協調クラスタ内の異なる送信ポイントにおける物理下りリンク共有チャネル（PDSCH：Physical  Downlink  Shared  Channel）のリソース割り当てとの衝突を回避することができる。他の例も可能である。
【００４１】
しかし、共通の送信ポイントのアイデンティティは、図１に示す空間的な近さ及び重複から生じる様々な形式の干渉を複雑にする可能性がある。以下に詳細に説明するように、共通の送信ポイントのアイデンティティは、送信周波数スケジューリングに関する干渉の軽減と、送信タイミングに関するフィードバック測定とに対する手法を複雑にする。
【００４２】
図５は、共通の送信ポイントのアイデンティティを有する高電力及び低電力の送信ポイントについての共有の送信電力メッセージ530の構成を示している。しかし、不都合なことに、共有の送信電力メッセージは、以下に説明するように隣接の送信ポイントに対して干渉回避の送信機会を確実に報告しないことがある。図５では、それぞれMCNを有してもよい高電力送信ポイント502、503の対について、カバレッジエリア500、501の対が示されている。
【００４３】
図４と同様に、第１のカバレッジエリア500内に、MCN502と共通の送信ポイントのアイデンティティを共有する複数のRRH又は他のトランシーバが示されている。電力レベルについての周波数依存の情報が通信されてもよいバックホールリンク512は、第１のMCNと第２のMCNとの間に存在してもよい。第１のMCNについての周波数依存のリソース割り当ての単位／PRBに関する様々な送信電力ベルのチャート522も示されている。更に、低電力のRRHについての周波数依存のリソース割り当ての単位／PRBに関する様々な送信電力の同様のチャート524も提供される。
【００４４】
第１のMCN502のチャート522は、対応する周波数範囲において比較的低い周波数の値を有する最初の２つのPRBが高電力レベルで送信されるようにスケジューリングされることを示している。しかし、残りのPRBは、低電力レベルでミュートされるようにスケジューリングされる。逆に、RRHトランシーバのチャート524は、全てのPRBがRRHトランシーバの高電力レベルに相応する電力レベルで送信するようにスケジューリングされることを示している。RRHトランシーバはMCNのものと同じ高さの電力レベルで送信することができないため、スケジューリングされたPRBの電力レベルは、MCNのものより少し低い。RRHトランシーバが送信するようにスケジューリングされた電力レベルは、図４に関して説明したバックホールリンク412と同様に、第１のMCN502とRRHトランシーバとの間のバックホールリンクで通信される。
【００４５】
カバレッジエリア間干渉を低減する目的で、第１のMCN502は、これらの間のバックホールリンク512で送信電力メッセージ530を第２のMCN503に通信してもよい。しかし、第１のMCN及びRRHトランシーバは同じ送信ポイントのアイデンティティを共有するため、共有の送信ポイントのアイデンティティについての送信電力メッセージは、MCNとRRHトランシーバとの双方の各PRBに関して合成した送信電力レベルを含み得る。第１のMCN及びRRHトランシーバの送信電力レベルの合成（収束する矢印で示される）の合成電力レベルのチャート526は、図５の下部の近くに示されている。
【００４６】
合成電力レベルのチャート526は、各PRBに関して同じ送信ポイントの識別情報を共有する２つの異なる種類の送信ポイントのスケジューリングされた送信電力ベルを追加する。２つの異なる種類の送信ポイントは、第１のMCN502とRRHトランシーバとに対応し得る。送信電力メッセージが送信ポイントのアイデンティティに基づいて通信される限り、送信電力メッセージ530は、これらの合成送信電力レベルに基づいて生成され得る。図５に示すシナリオでは、様々なRRHトランシーバは、各RPBに関して同じ電力レベルで送信するようにスケジューリングされる。しかし、個々のRRHトランシーバが同じPRBについて異なる電力レベルで送信するようにスケジューリングされ得ることも可能である。このことは、送信電力メッセージ526を更に複雑にする。
【００４７】
バックホールリンク512で通信される繰り返しの送信電力メッセージにより生じる負荷を軽減するため、及び、その解釈の容易を実現するため、とりわけ、送信電力メッセージ530は、ビットマップとして構成されてもよい。このようなビットマップの各ビットは、1又は0により、送信電力レベルが所与の周波数範囲のPRB毎に電力レベル閾値528より上であるか下であるかを示してもよい。
【００４８】
3GPP  LTEにおけるこのようなビットマップに基づく送信電力メッセージ530の一例は、RNTP（Relative  Narrowband  Transmit  Power）メッセージである。RNTPに関する更なる詳細は、3GPP  LTEの仕様、特にTS（Technical  Standard）36.123に存在し得る。図５に示す一例のように、単一のRNTPメッセージは、送信ポイントのアイデンティティ毎に送信される。従って、現在では、CoMPシナリオ3及びCoMPシナリオ4において、高電力のMCN502と低電力のRRHとの双方に関する送信電力レベルは、所与の範囲の周波数上の特定のRPBが所定の閾値の上であるか下であるかを決定する際に合成される。その結果、RNTPビットマップは、第１のMCNが高電力で送信する周波数と、隣接する第２のMCN503が干渉を回避するために送信をスケジューリングし得る周波数とについての正確な情報を提供しない。
【００４９】
RRHトランシーバの電力レベルは、MCN502のものよりかなり小さいため、第２のMCN503は、RRHトランシーバがこれらの最高のレベルで送信している場合であっても、MCNが高電力レベルで送信していないときに、許容できない干渉レベルなしにUEの送信を実際にスケジューリングすることができる。従って、送信電力メッセージ530により提供される情報は、カバレッジエリア間干渉を回避する機会を減少させ得る。送信電力メッセージ530は、単に送信電力レベルが全てのPRBにおいて閾値528より上であることを示している。その結果、隣接する第２のMCN503は、これらのPRBの２つを除き、許容できないカバレッジエリア間干渉を回避できることを認識しない。
【００５０】
しかし、図６は、一例により隣接する送信ポイント603に干渉回避の送信機会を確実に報告するために、複数の送信電力メッセージ636、644の使用を示している。この場合にも同様に、それぞれMCNを有してもよい高電力送信ポイント602、603の対について、カバレッジエリア600、601の対が示されている。図４と同様に、第１のカバレッジエリア600内に、それぞれ第１のMCNと通信するバックホールリンクを備えた複数のRRH又は第１のMCN602と共通の送信ポイントのアイデンティティを共有する他のトランシーバが示されている。電力レベルについての周波数依存の情報が通信されてもよいバックホールリンク612はまた、第１のMCNを隣接する第２のMCNに接続する。
【００５１】
第１のMCN602は、DL送信ポイントとしてDL送信についてスケジューリングされてもよい。周波数依存のリソース割り当ての単位／PRBに関する電力レベルについて、高電力の送信ポイントのチャート630が提供される。前述のように、高電力の送信ポイントのチャートは、対応する周波数範囲において比較的低い周波数の値を有する最初の２つのPRBが高電力レベルで送信されるようにスケジューリングされることを示している。しかし、残りのRPBは、ミュートされるようにスケジューリングされる。
【００５２】
低電力の送信ポイントのチャート638も提供される。低電力の送信ポイントのチャートは、RRHトランシーバでもよい低電力の送信ポイントが送信電力レベル及びミュートについてスケジューリングされる様々なPRBの電力レベルを報告する。これらの低電力の送信ポイントは、第１のMCN602と同じ送信ポイントのアイデンティティを共有してもよい。
【００５３】
しかし、図５とは異なり、第１の送信電力メッセージ636は、RRHトランシーバのスケジューリングされた電力ベルと合成せずに、第１のMCN602のスケジューリングされた電力レベルに基づいて形成される。第１の送信電力メッセージは、第１の閾値634より上の送信について設定されたPRBでもよいリソースブロックの第１のセットと、第１の閾値以下の送信及び／又はミュートについて設定されたリソースブロックの第２のセットとを示すように構成されてもよい。
【００５４】
第１の送信電力メッセージ636は、PRB毎のビットを有するビットマップを有してもよい。これらのビットのそれぞれは、対応するPRBが第１の閾値634より上で送信されるようにスケジューリングされるか否かを示してもよい。この例では、第１の閾値より上の電力レベルを示すために1が使用され、そうでない電力レベルを示すために0が使用されるが、これらの意味は切り替えられてもよい。
【００５５】
第２の送信電力メッセージ644も同様に生成されてもよい。第２の電力メッセージもまた、低電力の送信ポイントのチャート638に示すように、特定のPRBの電力レベルがそれぞれ第２の閾値642より上であるか否かに基づいて、PRBの第１及び第２のセットを示してもよい。実施例に応じて、第１の閾値634及び第２の閾値642は、情報を提供するために使用される送信ポイントに適した異なる電力レベルに対応してもよい。或る実施例では、電力レベルは、電力レベルが第１又は第２の閾値より上であるか否かを決定する前に、共通の送信ポイントのアイデンティティを共有する送信ポイントの最大送信電力により正規化されてもよい。
【００５６】
インジケータ632が第１の送信電力メッセージ636に取り付けられてもよい。インジケータは、第１の送信電力メッセージ636に対応するDL送信ポイントの１つ以上の属性を識別するために使用されてもよい。このような属性の１つの非限定的な例は、DL送信ポイントが高電力の送信ポイントであるか低電力の送信ポイントであるかでもよい。高電力の送信ポイントと低電力の送信ポイントとの区別は、共通の送信ポイントのアイデンティティを有する他の送信ポイントの最大送信電力に対する送信ポイントの最大送信電力に基づいてもよい。
【００５７】
このような属性の他の非限定的な例は、送信ポイント特有の識別情報でもよい。このような識別情報の例は、仮想セル識別情報及び／又は送信ポイントインデックス内のインデックス値を含んでもよい。このような実施例では、個々の送信電力メッセージは、共通の送信ポイントのアイデンティティを共有する送信ポイントのグループ内における送信ポイントのクラスではなく、個々の送信ポイントについて提供されてもよい。このような実施例では、個々の送信ポイントは、送信電力メッセージの形成の目的で自分の閾値を有してもよい。
【００５８】
或る実施例では、共通の送信ポイントのアイデンティティを共有する送信ポイントは、3GPP  LTEのシナリオ3又は4に従ったCoMPクラスタのようなCoMPクラスタ内の様々な送信ポイントでもよい。このような実施例では、高電力の送信ポイントは、MCN  eNodeBでもよい。更に、低電力の送信ポイントは、RRHでもよい。
【００５９】
様々な送信電力メッセージ636、644が形成されると、これらは隣接する第２のMCN603にバックホールリンク612で送信されてもよい。図５で送信される単一の送信電力メッセージとは異なり、少なくとも２つの送信電力メッセージが送信される636、644。２つ以上の送信電力メッセージは、共通の送信ポイントのアイデンティティにも拘わらず、取り付けられたインジケータ634、640により区別されてもよい。
【００６０】
図６に示すシナリオでは、第１の送信電力メッセージ636に取り付けられた第１のインジケータ632は、第１の送信電力メッセージがMCNのような比較的高電力の送信ポイント602に対応することを示す。第２の送信電力メッセージ642に取り付けられた第２のインジケータ640は、第２の送信電力メッセージがRRHのような比較的低電力の送信ポイントの送信電力レベルを報告することを示す。報告する送信ポイントについて２つのインジケータが異なる属性を示すことを伝えるため、第１のインジケータは網掛けのフィールドで示され、第２のインジケータは無地の空白のフィールドで示されている。前述のような別の属性を表すインジケータも可能である。インジケータは、図６の送信電力メッセージの末尾に位置するが、これらは、このようなメッセージ内のどこに位置してもよい。
【００６１】
共通の送信ポイントのアイデンティティにも拘わらず、第２のMCN603は、第１のインジケータ632及び／又は第２のインジケータ642により、第２の送信電力メッセージ644から第１の送信電力メッセージ636を区別することができる。２つの送信電力メッセージのため、第２のMCNは、比較的低電力の送信ポイントが様々なPRBの全ての周波数範囲を通じて送信するようにスケジューリングされているが、比較的高電力の送信ポイントが最初の２つのPRBのみについて高電力レベルで送信するようにスケジューリングされていることを決定することができる。従って、第２のMCNは、第１のMCN602が電力閾値未満の電力で送信するように設定されたリソースブロックと同じ周波数範囲内のPRBにおいて、２つのカバレッジエリア600、601の間の境界の近くのUEでもよい無線モバイルデバイス614をスケジューリングしてもよい。
【００６２】
図６に示すシナリオに関して、第２のMCN603は、第３、第４、第５及び第６のPRBのいずれかに対応する周波数において、境界のUEに特有のDL送信618をスケジューリングしてもよい。低電力送信ポイントは、これらのPRB内で送信するようにスケジューリングされるが、低電力レベルは、干渉レベル620を許容できるものにする。逆に言えば、最初の２つのPRBの周波数における第１のMCNからのDLの漏れ616は、第１のMCN602が送信する比較的高い電力レベルのため、干渉レベルを許容できないものにする。
【００６３】
3GPP  LTEに従った特定の実施例では、第１の送信電力メッセージ636及び第２の送信電力メッセージ644は共に、１つ以上のインジケータ632、640で構成されたRNTPメッセージでもよい。特定の実施例では、インジケータがないことはまた、対応する送信電力メッセージが属性を有すること又は有さないことを示すために使用されてもよい。このような実施例では、２つ以上のRNTPメッセージは、X2インタフェースを有するバックホールリンク612で、第２のMCN603のような隣接する送信ポイントに通信されてもよい。
【００６４】
同じカバレッジエリア又は隣接するカバレッジエリア内での異なる周波数のスケジューリングにより、干渉は部分的に回避可能であるが、この手法が問題になる特定の通信リソースが存在する。WWANにアクセスして無線リンクを維持するために使用されるもの（例えば、同期信号、参照信号及び制御情報）のように、このような通信リソースは、再スケジューリングされないことがある。これらは、無線デバイスが依存することができる一式の周波数リソースを占有するように予め割り当てられ、無線デバイスが提供する様々な機能のために通信リソースを使用することを可能にすにするように占有してもよい。
【００６５】
特に異種ネットワーク内で、周波数に関してこれらの動かすことができなリソースにより生じる問題を克服するために、隣接する送信ポイントが送信を低減するタイムスロットを提供することを送信ポイントが要求することができる手法が策定されている。第１の送信ポイントは、自分の無線モバイルデバイスの送信をスケジューリングするために、これらの低減した送信タイムスロットを使用することができる。これにより、隣接する送信ポイントとの干渉の問題を回避する。重複するシグナリングを回避するための他のリソースとして周波数に加えて時間を使用することにより、動かすことができないリソースの通信が干渉なしに行われることができる。3GPP  LTE仕様のRelease  10で導入されたeICIC（enhanced  Inter-Cell  Interference  Coordination）は、干渉の問題を避けてスケジューリングするために時間ドメインを使用するこのような手法の一例を提供する。
【００６６】
eICICでは、１つのeNodeBは、少なくとも１つの隣接するeNodeBが低送信電力のタイムスロットを提供することを要求する。これらの低送信電力のタイムスロットは、低電力送信について図２に関して説明したものと同様に、特定のサブフレームを予約することにより提供されてもよい。ここで使用される“サブフレーム（sub-frame）”という用語は、“タイムスロット（time  slot）”という用語で置換されてもよく、その逆も同様である。これらのサブフレームは、ABS（Almost  Blank  Sub-frames）として知られる。ABSは、干渉の可能性を低減するために、サブフレームからできるだけ多くの送信リソースを除去する。しかし、ABSは、保持に値すると考えられ得る残りの送信リソースのため、“ほぼブランク（almost  blank）”と呼ばれる。例えば、いくつかの送信リソースは、制御情報、フィードバック情報、ページング情報及び／又は特定の参照信号に予約されてもよい。ABSは繰り返しパターンで構成されてもよい。従って、周期的なABSパターンを有する送信ポイントに隣接する送信ポイントは、関連する無線モバイルデバイスの送信のために、周期的なスケジュールを設定してもよい。
【００６７】
干渉の軽減に対するこのような時間ドメインの手法は、干渉を低減し、チャネル品質を改善するが、チャネル品質は、依然として重要な問題になり得る。例えば、BPSK、QPSK（Quadrature  Phase-Shift  Keying）、16QAM（Quadrature  Amplitude  Modulation）又は64QAMのように、各REにおいて更なる数のビットを送信するための変調方式の選択は、チャネル品質測定結果に依存し得る。従って、チャネル品質の測定は、役目を果たし続ける。
【００６８】
ABSパターンの周期的な性質及び同様の低電力の送信電力のタイムスロット方式は、チャネル品質を測定するために使用される参照信号もまた同様のパターンで構成されることを重要にし得る。そうでなければ、参照信号に基づいてチャネル品質測定を行う無線モバイルデバイスは、首尾一貫してABS及び非ABSにおいて測定を行うことができない可能性がある。以下の図面を参照して説明するように、チャネル品質測定を複雑にするような方法で、送信ポイントのアイデンティティに基づいてチャネル品質測定に使用される参照信号にリソースが割り当てられてもよい。
【００６９】
図７は、共通の送信ポイントのアイデンティティを有する様々な送信ポイントの参照信号742a-b、746a-bを示している。共通の送信ポイントのアイデンティティのため、参照信号はリソース割り当てに関して一致し、フィードバックのための信頼性の高い測定の問題を生じる。MCNでもよい高電力の送信ポイント702についてカバレッジエリア700が示されている。図４と同様に、カバレッジエリア内において、MCNと共通の送信ポイントのアイデンティティを共有する複数のRRH708又は他のトランシーバが示されている。
【００７０】
8個のサブフレームの第１のセット740は、ABSパターン又は同様の低電力の送信電力のタイムスロット方式に対応して示されている。8個のサブフレームの第１のセットは、8個のサブフレームの第１のセットの左側のMCNアイコンにより示されるMCN702のABSパターンを記述している。無地の空白のフィールドで示される8個のサブフレームの第１のセットの最初の２つのサブフレームは、２つのABSを有するが、ダイヤモンド型の網掛けで示される残りの6個のサブフレームは、6個の非ABSを有する。
【００７１】
MCN702と共通の送信ポイントのアイデンティティを共有するRRH708又は他のトランシーバにより送信されるサブフレームを表す8個のサブフレームの第２のセット744もまた、斜線の網掛けで示されている。しかし、8個のサブフレームの第２のセットは、ABSパターンで構成されていない。むしろ、RRHは、MCNにおいてABSにスケジューリングされたタイムスロット又はサブフレームの設定された周波数リソースを占有するように予め割り当てられた通信リソースについて送信をスケジューリングするために、MCNのABSパターンを使用してもよい。これらのABSの間のこれらの予め割り当てられた通信リソースのスケジューリングは、RRHの更なるカバレッジエリアがMCNのカバレッジエリア700と重複したとしても、RRHが干渉を軽減することを可能にし得る。
【００７２】
8個のサブフレームの第２のセット744は、RRHカバレッジエリア内のUEでもよい無線モバイルデバイス714により予め知られてもよい又は無線モバイルデバイス714に通信されてもよい一対の参照信号のセット746a-bで示されている。これらの参照信号のセットのうち１つ以上は、UEにより、UEとRRHとの間のチャネルを評価するために測定されてもよい。しかし、同じ対の参照信号のセット742a-bも、MCN702からの送信718内における同じ時間及び周波数リソースに割り当てられる。
【００７３】
参照信号のセット742a-b、746a-bの同じ対は、RRH716からの送信及びMCN718からの送信内において同じリソースのセットを占有するように割り当てらてもよい。この理由は、参照信号は、送信ポイントのアイデンティティに基づいて構成されてリソースに割り当てられ得るからである。参照信号が送信ポイントのアイデンティティに基づいて構成されてリソースに割り当てられる場合、UE714は、チャネル測定のような測定を、送信ポイントのアイデンティティに関する送信ポイントに関連付けることができる。このような参照信号はまた、ABSパターンの周期に一致する周期で構成されて割り当てられてもよい。3GPPに関して、CRSは、ABSパターンのものと同じ周期で送信ポイントのアイデンティティに基づいて構成されて割り当てられ得る参照信号の一例である。
【００７４】
しかし、複数の送信ポイントが同じアイデンティティを共有する場合、混乱が生じ得る。例えば、図７に関してRRHにより提供される参照信号746a-bに基づくRRH708のいずれかのチャネル測定748a-bは、MCN702の同じ参照信号742a-bにより混乱される可能性がある。eICICのような干渉に対する時間ドメインに基づく手法は、１つの送信ポイントが所与の送信ポイントのアイデンティティに関係する場合のチャネル測定について、送信ポイントのアイデンティティに基づいて構成されて割り当てられた参照信号に依存し得るが、同じ送信ポイントのアイデンティティを有する複数の送信ポイントは、不正確な測定を生じ得る。
【００７５】
共通の送信ポイントのアイデンティティを共有する複数の送信ポイントのクラスタ化は、スペクトル効率を増加させるために実装された異なる異種ネットワークのシナリオの一部である。RRHのような異なる異種の要素は、その性質により送信ポイントのアイデンティティを共有する。3GPP  LTEに関して、CoMPシナリオ3及びCoMPシナリオ4は、共通の送信ポイントのアイデンティティを共有する複数の送信ポイントのクラスタ化の例を提供する。しかし、これらのシナリオ及び他のシナリオは、チャネル測定が得られ得る新たな手法に依存してもよい。
【００７６】
図８は、同じ送信ポイントのアイデンティティを共有する異なる送信ポイントからの送信についてスケジューリングされたサブフレーム840、844のセットを示している。以下に説明するように、サブフレーム844の第２のセットに示される参照信号846a-bのセットの対は、正確な測定及び／又はチャネル推定を生成するために使用されてもよい。これらの測定及び評価に使用される参照信号のセットは、送信ポイントのアイデンティティ以外の何かに基づいて構成されてもよい。
【００７７】
正確なチャネル測定及び／又は推定848a-bは、MCNのような高電力の送信ポイント802と共通の送信ポイントのアイデンティティを共有するRRH808又は他のトランシーバについて行われてもよい。しかし、干渉を測定する際に使用される参照信号の新たなセットが最初に構成される。この参照信号の新たなセットは、送信ポイントのアイデンティティのみに基づいて構成されて割り当てられない。むしろ、参照信号の新たなセットは、これら808を送信するようにスケジューリングされた実装する送信ポイントの１つ以上の特徴／属性に対して、構成及び割り当てで関連付けられてもよい。１つ以上の特性／属性は、同じ送信ポイントのアイデンティティを共有する送信ポイントのクラスタにおいて、少なくとも１つの他の送信ポイントから実装する送信ポイントを差別化／区別するために使用されてもよい。
【００７８】
このような特徴／属性の例は、限定ではなく例示として、特定の送信ポイントについてのノードレイヤ又は固有のアイデンティティを含んでもよい。ノードレイヤは、限定せずに、高電力のMCNのeNodeB802又はRRH808のようなLPNのセットを有してもよい。従って、参照信号は、送信ポイントのクラスタ内においてRRH、MCN又は個々の送信ポイントに関連付けられるように構成されてもよい。このような参照信号は、送信ポイントのクラスタ内で送信ポイントのサブセットに特有に構成されて割り当てられ得るため、送信ポイントのクラスタの他の部分の送信ポイントの参照信号との重複した構成及び割り当てが回避され得る。
【００７９】
参照信号846a-bのセットについての情報は、実装する送信ポイント808に関連するUEでもよい１つ以上の無線モバイルデバイスに送信されてもよい。これらのUEは、参照信号846a-bの新たなセットの構成及び割り当ての基礎としての役目を果たすことができる特徴／属性を有する１つ以上の送信ポイントに特有の干渉測定848a-bを行うために、参照信号のセットを使用することができる。更に、この参照信号の新たなセットは、同じ送信ポイントのアイデンティティを有するが、参照信号のセットに関連付けられた１つ以上の特徴／属性を共有しない１つ以上の送信ポイント808のABSパターンの周期と実質的に同様の周期で構成されてもよい。更に、参照信号の新たなセットは、ABSでの干渉の測定に専用の参照信号の第１のサブセットと、非ABSでの干渉の測定に専用の参照信号の第２のサブセットとで構成されてもよい。
【００８０】
或る実施例では、参照信号のセットは、実質的にゼロの電力で生成されてもよい。所与のUE812での受信信号は、参照信号に雑音／干渉を加えたもので乗算されたチャネルに等しい。参照信号がゼロである場合、チャネルの推定は回避され得る。この理由は、チャネルとゼロの値の参照信号との積は、チャネルに拘わらずゼロになるからである。従って、受信信号が雑音／干渉に等しくなるように、式が簡略化され得る。従って、ゼロ電力の参照信号の間に測定されたものは、参照信号846a-bの新たなセットが関連付けられた１つ以上の特徴／属性を共有しない送信ポイントからの干渉に起因し得る。
【００８１】
関心のある送信ポイントと共通の送信ポイントのアイデンティティを共有したとしても、関心のない送信ポイントからの信号と測定が分離され得るため、測定は、測定を行う無線デバイスからの更に信頼性の高いフィードバックを生じ得る。これらの測定は、関心のある送信ポイントに関する正確なフィードバックを提供するために使用されてもよい。参照信号の新たなセットがゼロでない値を含む場合にも、同様の手法が可能である。しかし、隣接する送信ポイントからの干渉に関係しない受信信号の部分を除去することができるように、チャネル推定が最初に実行されてもよい。
【００８２】
3GPPに関して、特定の送信ポイントのアイデンティティに結びつけられていない参照信号のフォーマットの一例は、チャネル状態情報参照信号（CSI-RS：Channel  State  Information  Reference  Signal）フォーマットである。ゼロ電力のCSI-RSリソース846aの第１のセットを構成するために、E-UTRAN及び／又はその中のeNodeBにより、無線リソース制御（RRC：Radio  Resource  Control）シグナリングが使用されてもよい。ゼロ電力のCSI-RSの第１のセットは、送信ポイントのクラスタ内の関心のある１つ以上の送信ポイントの１つ以上の特徴／属性に関連付けるように構成されてもよい。図８に示すシナリオでは、以下に説明するゼロ電力のCSI-RS846bの第２のセットと同様に、ゼロ電力のCSI-RSの第１のセットは、RRH送信ポイント808に関連付けてもよい。１つの非限定的な例では、関連する特徴／属性は、関連する送信ポイントが低電力の送信ポイントを有するノードレイヤに関係することでもよい。
【００８３】
ゼロ電力のCSI-RS846aの第１のセットは、ゼロ電力のCSI-RSの第１のセットの上に示されたサブフレーム840の第１のセットの無地の空白のフィールドにより示されるように、ゼロ電力のCSI-RSの第１のセットに関連しないクラスタの送信ポイントがABSについてスケジューリングされる同じサブフレームにおいて割り当てられるように構成されてもよい。UE812は、ABSの間に干渉についての情報を取得するために、ゼロ電力のCSI-RSの第１のセットの第１の測定848aを行ってもよい。
【００８４】
同様に、ゼロ電力のCSI-RS846bの第２のセットも、RRH送信ポイント808に関連付けるためにRRCシグナリングで構成されてもよい。ゼロ電力のCSI-RSの第２のセットは、ゼロ電力のCSI-RSの第２のセットの上に示されたサブフレーム840の第１のセットのダイヤモンド型の網掛けのフィールドにより示されるように、ゼロ電力のCSI-RSの第１のセットに関連しないクラスタ内の送信ポイントが非ABSについてスケジューリングされる同じサブフレームにおいて割り当てられるように構成されてもよい。UE812は、非ABSの間に干渉についての情報を取得するために、ゼロ電力のCSI-RSの第２のセットの第２の測定848bを行ってもよい。
【００８５】
次に、UEは、１つ以上の関連する送信ポイントに対してフィードバックを生成するために、１つ以上の関連する送信ポイントに対する第１及び第２の測定848a-bを使用してもよい。このようなフィードバックは、いくつかの非限定的な例を提供すると、チャネル状態情報（CSI：Channel  State  Information）及び／又はチャネル品質インジケータ（CQI：Channel  Quality  Indicator）の形式になってもよい。このような情報は、変調方式を決定し、E-UTRAN及び構成要素のeNodeBに割り当てられた他の判断を行うために使用されてもよい。
【００８６】
更に、ゼロ電力のCSI-RS846aの第１のセット及びゼロ電力のCSI-RS846bの第２のセットは、関連しない送信ポイントのABSパターンの周期と等しい周期で構成されてもよい。典型的なeICICのシナリオでは、ABSの周期は8msでもよい。特定の実施例では、ゼロ電力のCSI-RSの各セットは、4msだけ離れて構成されてもよい。ABSパターンとCSI-RSパターンとの間の周期を同期させる更なる手法も可能である。
【００８７】
周期的な物理上りリンク制御チャネル（PUCCH：Physical  Uplink  Control  Channel）のCSI報告が構成された場合、cqi-pmiConfiglndex及びcqi-pmiConfiglndex2のような報告パラメータは、ゼロ電力のCSI-RS846aの第１のセット及びゼロ電力のCSI-RS846bの第２のセットに対応するように構成されるべきである。非周期的なPUCCHのCSI報告が送信ポイントにより起動された場合、ゼロ電力のCSI-RSの第１のセット及びゼロ電力のCSI-RSの第２のセットの最も近い時間が対応する測定に使用されてもよい。
【００８８】
図９は、無線送信ポイントのクラスタの間で干渉を軽減するための方法900のフローチャートである。この方法は、過渡的でない（non-transitory）コンピュータ使用可能媒体を有するコンピュータプログラムプロダクトに具現されてもよいが、このことは必ずしも必要ではない。コンピュータ読み取り可能媒体は、具現されたコンピュータ読み取り可能プログラムコードを有してもよい。コンピュータ読み取り可能プログラムコードは、方法の命令を実施するため、実行されるように適合されてもよい。
【００８９】
方法900は、DL送信ポイントにおいて、RNTPメッセージを構成すること910を有してもよい。RNTPメッセージは、DL送信ポイントが電力閾値以上である電力で送信するように設定されるリソースブロックの第１のセットを示してもよい。RNTPメッセージはまた、DL送信ポイントが電力閾値未満の電力で送信するように設定されるリソースブロックの第２のセットを示してもよい。
【００９０】
更に、方法900は、DL送信ポイントが関係するCoMPクラスタの共通のCell-IDとは異なるRNTPメッセージに対応するDL送信ポイントの属性を識別すること920を有してもよい。共通のCell-IDはまた、CoMPクラスタにおける少なくとも１つの他の送信ポイントにも関係する。RNTPメッセージは、バックホールリンクを介して１つ以上の更なる送信ポイントに送信されてもよい930。１つ以上の更なる送信ポイントは、DL送信ポイントの境界近くの無線モバイルデバイスをスケジューリングしてもよい。無線モバイルデバイスは、DL送信ポイントが電力閾値未満の電力で送信するように設定されたリソースブロックと同じ周波数範囲内のリソースブロックでスケジューリングされてもよい。
【００９１】
或る実施例では、RNTPメッセージに対応するDL送信ポイントの属性は、DL送信ポイントが高電力の送信ポイントであるという指示を有してもよい。属性はまた、DL送信ポイントがDL送信ポイントが属するCoMPクラスタ内において低電力の送信ポイントであるという指示を有してもよい。特定の実施例では、高電力の送信ポイントはMCN  eNodeBでもよく、低電力の送信ポイントはRRHでもよい。
【００９２】
別の実施例では、RNTPメッセージに対応するDL送信ポイントの属性は、DL送信ポイントが属するCoMPクラスタ内のDL送信ポイントに固有の識別情報を有してもよい。このような実施例では、識別情報は、仮想セル識別情報又は送信ポイントインデックス内のインデックス値を有してもよい。送信ポイントインデックスは、DL送信ポイントが属するCoMPクラスタ内の送信ポイントについて規定されてもよい。
【００９３】
方法900の特定の実施例は、DL送信ポイントが属するCoMPクラスタにおいて送信のための最大送信電力によりリソースブロックについて設定された電力で正規化することを更に有してもよい。正規化は、リソースブロックの第１のセット及びリソースブロックの第２のセットの１つにリソースブロックを含めるか否かを決定する前に実行されてもよい。更に、この方法の特定の例では、電力閾値は、DL送信ポイントが属する送信ポイントのCoMPクラスタ内でDL送信ポイントの属性に固有になてもよい。
【００９４】
或る実施例では、メッセージのバックホール通信は、X2インタフェースで行われてもよい。更に、リソースブロックは、PRB内に12個のサブキャリアを含んでもよい。
【００９５】
図１０は、一例に従って無線通信の送信ポイントのクラスタ化のシナリオにおいて干渉を低減するデバイス1000を示している。デバイスは、実装する送信ポイント（送信ポイントのアイデンティティが割り当てられ得るMCNのような高電力の送信ポイント1002、送信ポイントのアイデンティティが割り当てられ得るLPN  eNodeBのような低電力の送信ポイント1004、及び／又は送信ポイントのアイデンティティが割り当てられないが、その送信ポイントのアイデンティティについてeNodeBのような他の送信ポイントに依存するRRHのような送信ポイント1006等）に存在してもよい。デバイスは、メッセージモジュール1010と、区別モジュール1020と、通信モジュール1030とを有してもよい。
【００９６】
メッセージモジュール1010は、RNTPメッセージを生成するように構成されてもよい。RNTPメッセージは、リソースブロックのセットからの少なくとも１つのリソースブロックが所定の閾値より上の電力レベル又は所定の閾値より上でない電力レベルでのDL送信にスケジューリングされているか否かを示してもよい。区別モジュール1020は、RNTPメッセージモジュールと通信してもよい。更に、区別モジュールは、RNTPメッセージが生じる実装する送信ポイントを区別するRNTPメッセージの情報を提供するように構成されてもよい。実装する送信ポイントは、実装する送信ポイントが関係するCoMPクラスタにおいて少なくとも１つの他の送信ポイントに共通のCell-DIを有する。区別モジュールと通信してもよい通信モジュール1030は、実装する送信ポイントから１つ以上の隣接する送信ポイントに１つ以上のバックホールリンクでRNTPメッセージを通信するように構成されてもよい。
【００９７】
或る実施例では、区別モジュール1020は、送信ポイントが高電力の送信ポイントであるか低電力の送信ポイントであるかに関してRNTPメッセージ内に指示を提供することにより、実装する送信ポイントを区別する情報を提供してもよい。特定のこのような実施例では、高電力の送信ポイント及び低電力の送信ポイントは、CoMPに属してもよい。CoMPクラスタは、CoMPクラスタ内の送信ポイントの間での送信活動を協調させる機能を実装する。このような実施例では、通信モジュール1030は、CoMPクラスタの外部の１つ以上の送信ポイントにRNTPメッセージを通信してもよい。
【００９８】
別の実施例では、区別モジュール1020は、仮想セル識別情報及び／又は送信ポイントインデックスに対応するインデックス値を提供することにより、実装する送信ポイントを区別する情報を提供してもよい。仮想セル識別情報及び／又はインデックス値は、CoMPクラスタにおいて実装する送信ポイントを一意に識別することができる。この場合も同様に、CoMPクラスタは、CoMPクラスタ内のメンバの送信ポイントの間の送信活動を協調させる機能により規定されてもよい。
【００９９】
或るデバイス1000は、メッセージモジュール1010と通信する正規化モジュール1040を更に有してもよい。正規化モジュールは、実装する送信ポイントについてリソースブロックの電力レベルを正規化するように構成されてもよい。正規化は、CoMPクラスタの最高電力の送信ポイントの最大電力に関して行われてもよい。CoMPクラスタは、CoMPクラスタ内のメンバの送信ポイントの間の送信活動を協調させる機能を提供する。
【０１００】
デバイス1000はまた、メッセージモジュール1010と通信する閾値モジュール1050を更に有してもよい。閾値モジュールは、実装する送信ポイントが比較的高電力レベルに対応する場合、実装する送信ポイントからのRNTPメッセージの第１の閾値レベルを決定するように構成されてもよい。また、閾値モジュールは、実装する送信ポイントが比較的低電力レベルに対応する場合、RNTPメッセージの第２の閾値を決定するように構成されてもよい。
【０１０１】
特定の実施例では、リソースブロックは、PRB内に12個のサブキャリアを有してもよい。バックホールリンクはX2インタフェースでもよい。高電力の送信ポイントはMCN  eNodeBでもよい。
【０１０２】
図１１は、CoMPクラスタ内で干渉を軽減する方法1100のフローチャートである。この方法は、過渡的でないコンピュータ使用可能媒体を有するコンピュータプログラムプロダクトに具現されてもよいが、このことは必ずしも必要ではない。コンピュータ読み取り可能媒体は、具現されたコンピュータ読み取り可能プログラムコードを有してもよい。コンピュータ読み取り可能プログラムコードは、方法の命令を実施するため、実行されるように適合されてもよい。
【０１０３】
この方法1100は、実装する送信ポイントにおいて、干渉を測定する際に使用されるCRI-RSのセットを決定すること1110を有してもよい。CSI-RSのセットは、実装する送信ポイントの１つ以上の特徴に関連付けられてもよい1120。１つ以上の特徴は、１つ以上の更なる送信ポイントから実装する送信ポイントを差別化／区別してもよい。区別は、１つ以上の更なる送信ポイントが実装する送信ポイントの１つ以上の特徴を共有しないという理由で行われてもよい。１つ以上の更なる送信ポイントは、実装する送信ポイントが属するCoMPクラスタにあってもよい。CSI-RSのセットについての情報は、実装する送信ポイントに関連する１つ以上のUEに通信されてもよい1130。１つ以上のUEは、CoMPクラスタにおいて少なくとも１つの実装する送信ポイントに特有の干渉測定を行うためにCSI-RSのセットを使用してもよい。
【０１０４】
或る実施例では、CSI-RSのセットは、１つ以上の更なる送信ポイントのABSパターンの周期と実質的に同様の周期で送信するように構成されてもよい。特定のこのような実施例では、CSI-RSのセットの構成は、ABSでの干渉の測定に専用のCSI-RSの第１のサブセットでCSI-RSのセットを構成することを更に有してもよい。更に、１つ以上の更なる送信ポイントのABSパターンの非ABSでの干渉の測定に専用になるようにCSI-RSの第２のサブセットが構成されてもよい。このような実施例では、１つ以上のUEは、周期的な測定報告を提供するように構成されてもよい。周期的な測定報告は、CSI-RSの第１のサブセットの第１の測定についての第１の測定報告を含んでもよい。第２の周期的な測定報告はまた、CSI-RSの第２のサブセットの第２の測定についての第２の測定報告を含んでもよい。
【０１０５】
特定の実施例は、１つ以上のUEにおいて非周期的な干渉測定を起動することを有してもよい。非周期的な干渉測定は、CSI-RSの第１のサブセット又はCSI-RSの第２のサブセットで実行されるように構成されてもよい。非周期的な干渉測定がCSI-RSの第１のサブセットで行われるか、CSI-RSの第２のサブセットで行われるかは、どのサブセットが非周期的な干渉測定の起動に時間的に最も近いかに依存してもよい。更に、CSI-RSのセットは、実質的にゼロの電力で送信する信号として生成されてもよい。実質的にゼロの電力を有するCSI-RSは、CSI-RSを測定する１つ以上のUEがCSI-RSのセットで測定した信号を干渉に起因させることを可能にし得る。
【０１０６】
実施例に応じて、１つ以上の特徴は、実装する送信ポイントが閾値の電力レベルより上で送信するか否かにより規定された第１の特徴又は第２の特徴を有してもよい。第２の特徴は、実装する送信ポイントのアイデンティティにより規定されてもよい。アイデンティティは、仮想セル識別情報又は送信ポイントインデックスに対応するインデックス値に対応してもよい。更に、CSI-RSのセットは、CSI-RSのフォーマットに従って構成されてもよい。このような実施例では、前述のCoMPクラスタは、CoMPシナリオ3のクラスタ又はCoMPシナリオ4のクラスタでもよい。
【０１０７】
図１２は、一例に従って無線送信ポイントのクラスタ化のシナリオにおいてクラスタ間干渉を低減するデバイス1200を示している。デバイスは、プライマリ送信ポイント（送信ポイントのアイデンティティが割り当てられ得るMCNのような高電力の送信ポイント1202、送信ポイントのアイデンティティが割り当てられ得るLPN  eNodeBのような低電力の送信ポイント1204、及び／又は送信ポイントのアイデンティティが割り当てられないが、その送信ポイントのアイデンティティについてeNodeBのような他の送信ポイントに依存するRRHのような送信ポイント1206等）に存在してもよい。デバイスは、構成モジュール1210と通信モジュール1220とを有してもよい。
【０１０８】
構成モジュール1210は、プライマリ送信ポイントが属するCoMPクラスタにおいてノードレイヤ又は特定の送信ポイントに特有のCSI-RSのセットを構成するように構成されてもよい。構成モジュールと通信してもよい通信モジュール1220は、プライマリ送信ポイントから、プライマリ送信ポイントに関連する少なくとも１つのユーザ装置（UE）に構成情報を通信するように構成されてもよい。構成情報は、UEがCoMPクラスタ内で干渉の測定を行うことを可能にしてもよい。
【０１０９】
或る実施例では、構成モジュール1210は、送信のためにゼロの電力を有するCSI-RSのセットにおいて、１つ以上のCSI-RSを構成してもよい。更に、構成モジュールは、CSI-RSのセットの位置付け及び順序付けのためのリソース割り当てに関して、CoMPクラスタにおけるノードレイヤ又は特定の送信ポイントに特有のCSI-RSのセットを構成してもよい。
【０１１０】
また構成モジュール1210に関して、構成モジュールは、１つ以上の更なる送信ポイントのABSパターンの周期と一致するように、サブフレームオフセットを用いてCSI-RSのセットの周期によって構成されてもよい。このように、干渉測定はABSパターンと関連付けられてもよい。構成モジュールはまた、ABSを測定するためのCSI-RSのセット内の第１のCSI-RSグループと、非ABSを測定するためのCSI-RSのセット内の第２のCSI-RSグループとを構成してもよい。第１のCSI-RSグループ及び第２のCSI-RSグループの構成は、プライマリ送信ポイントにより受信された少なくとも１つの更なる送信ポイントのABSパターンについての情報に基づいてもよい。
【０１１１】
通信モジュール1210に関して、通信モジュールは、独立した測定報告を提供するためにプライマリ送信ポイントに関連する１つ以上のUEと通信してもよい。独立した測定報告は、周期的な報告について第１のCSI-RSグループ及び第２のCSI-RSグループに対応してもよい。或いは、通信モジュールは、プライマリ送信ポイントに関連する１つ以上のUEが独立した測定報告を提供するように構成してもよい。独立した測定報告は、非周期的な要求がプライマリ送信ポイントにより行われたサブフレームに対して、第１のCSI-RSグループ及び第２のCSI-RSグループのうち１つに最も近いものに対応してもよい。
【０１１２】
或る実施例では、CSI-RSのセットのCSI-RSは、CSI-RSとして構成されてもよい。CoMPクラスタは、CoMPシナリオ3のクラスタ又はCoMPシナリオ4のクラスタでもよい。ノードレイヤは、高電力のMCN  eNodeB又はCoMPクラスタ内のLPNのセットを有してもよい。
【０１１３】
図１３は、UE、移動局（MS）、モバイル無線デバイス、モバイル通信デバイス、タブレット、ハンドセット、又は他の種類の無線モバイルデバイスのような、モバイルデバイスの例を提供する。モバイルデバイスは、BS、eNodeB又は他の種類のWWAN送信ポイントと通信するように構成された１つ以上のアンテナを含んでもよい。２つのアンテナが示されているが、モバイルデバイスは１つ〜４つ以上のアンテナを有してもよい。モバイルデバイスは、3GPP  LTE、WiMAX（Worldwide  interoperability  for  Microwave  Access）、HSPA（High  Speed  Packet  Access）、Bluetooth（登録商標）、WiFi又は他の種類の無線標準を含む少なくとも１つの無線通信標準を使用して通信するように構成されてもよい。モバイルデバイスは、無線通信標準毎に別々のアンテナを使用して通信してもよく、複数の無線通信標準に共用のアンテナを使用して通信してもよい。モバイルデバイスは、無線ローカルエリアネットワーク（WLAN：wireless  local  area  network）、無線パーソナルエリアネットワーク（WPAN：wireless  personal  area  network）及び／又はWWANで通信してもよい。
【０１１４】
図１３はまた、モバイルデバイスからのオーディオ入力及び出力に使用され得るマイクロフォン及び１つ以上のスピーカの例を提供する。ディスプレイ画面は、液晶ディスプレイ（LCD：liquid  crystal  display）画面又は有機発光ダイオード（OLED：organic  light  emitting  diode）ディスプレイのような他の種類のディスプレイ画面でもよい。ディスプレイ画面は、接触式画面として構成されてもよい。接触式画面は、容量性、抵抗性又は他の種類の接触式画面技術を使用してもよい。アプリケーションプロセッサ及びグラフィックプロセッサは、処理及びディスプレイ機能を提供するために内部メモリに結合されてもよい。不揮発性メモリポートはまた、データ入力／出力の選択肢をユーザに提供するために使用されてもよい。不揮発性メモリポートはまた、モバイルデバイスのメモリ機能を拡張するために使用されてもよい。キーボードは、モバイルデバイスに統合されてもよく、更なるユーザ入力を提供するためにモバイルデバイスに無線で接続されてもよい。仮想キーボードもまた、接触式画面を使用して提供されてもよい。
【０１１５】
この明細書に記載の機能ユニットの多くは、実装の独立性を特に強調するために、モジュールとしてラベル付けされていることが分かる。例えば、モジュールは、カスタムVLSI回路又はゲートアレイを有するハードウェア回路、論理チップのような既製の半導体、トランジスタ、又は他の別のコンポーネントとして実装されてもよい。モジュールはまた、フィールドプログラマブルゲートアレイ、プログラム可能アレイロジック、プログラム可能論理デバイス等のようなプログラム可能なハードウェアデバイスに実装されてもよい。
【０１１６】
モジュールは、様々な種類のプロセッサによる実行のためにソフトウェアに実装されてもよい。例えば、実行可能コードの識別されたモジュールは、コンピュータ命令の１つ以上の物理的又は論理的ブロックを有してもよい。例えば、コンピュータ命令は、オブジェクト、プロシージャ又は関数として構成されてもよい。それにも拘わらず、識別されたモジュールは、物理的に一緒に存在する必要はなく、異なる位置に格納された異なる命令を有してもよい。異なる命令は、論理的に結合された場合にモジュールを有し、モジュールの記載の目的を実現する。
【０１１７】
実際に、実行可能コードのモジュールは、単一の命令でもよく、複数の命令でもよく、異なるプログラムの間で及び複数のメモリデバイスに渡って複数の異なるコード部分に分散されてもよい。同様に、動作データは、ここではモジュール内で識別されて示されてもよく、如何なる適切な形式に具現されてもよく、如何なる適切な種類のデータ構造内に構成されてもよい。動作データは、単一のデータセットとして収集されてもよく、異なる記憶デバイスを含む異なる位置に分散されてもよく、少なくとも部分的にシステム又はネットワーク上の電子信号として存在してもよい。モジュールは、所望の機能を実行するように動作可能なエージェントを含み、受動的でもよく能動的でもよい。
【０１１８】
様々な技術又は特定の態様若しくはこの一部は、有形の媒体（フロッピー（登録商標）ディスク、CD-ROM、ハードドライブ、又は他の機械読み取り可能記憶媒体等）に具現されたプログラムコード（すなわち、命令）の形式になってもよい。プログラムコードがコンピュータのような機械にロードされて実行された場合、機械は、様々な技術を実施する装置になる。プログラム可能なコンピュータ上のプログラムコードの実行の場合、コンピュータデバイスは、プロセッサ、プロセッサにより読み取り可能な記憶媒体（揮発性及び不揮発性メモリ及び／又は記憶要素を含む）、少なくとも１つの入力デバイス、及び少なくとも１つの出力デバイスを含んでもよい。ここに記載の様々な技術を実装又は利用し得る１つ以上のプログラムは、アプリケーションプログラミングインタフェース（API：application  programming  interface）、再利用可能な制御（reusable  control）等を使用してもよい。このようなプログラムは、コンピュータシステムと通信するためにハイレベルな手続き型又はオブジェクト指向型プログラミング言語で実装されてもよい。しかし、プログラムは、必要な場合にはアセンブリ又は機械言語で実装されてもよい。いずれの場合でも、言語は、コンパイルされた言語又はインタープリタ型言語でもよく、ハードウェアの実装と組み合わされてもよい。
【０１１９】
この明細書を通じて“一例”又は“例”への言及は、その例に関して記載した特定の機能、構成又は特徴が、本発明の少なくとも１つの実施例に含まれることを意味する。従って、この明細書を通じて様々な場所に“一例では”又は“例では”という語句が現れることは、必ずしも同じ実施例を示しているとは限らない。
【０１２０】
ここで使用される複数のアイテム、構造上の要素、構成要素及び／又は素材は、便宜的に一般的なリスト（common  list）で提示されてもよい。しかし、これらのリストは、リストの各メンバが個々に別々の固有のメンバとして識別されるように解釈されるべきである。従って、このようなリストの個々のメンバは、別の指示がない限り、共通のグループに提示されていることに単に基づいて、同じリストの他のメンバの事実上の等価物として解釈されるべきではない。更に、本発明の様々な実施例及び例は、ここでは、様々なコンポーネントの代替と共に参照されてもよい。このような実施例、例及び代替は、相互の事実上の等価物として解釈されるべきではなく、本発明の別々の自律的な表現として解釈されるべきであることが分かる。
【０１２１】
更に、記載の機能、構造又は特徴は、１つ以上の実施例においていずれか適切な方法で組み合わされてもよい。以下の説明では、本発明の実施例の完全な理解を提供するために、素材、留め具、サイズ、長さ、幅、形状の例等のように複数の特定の詳細が提供される。しかし、当業者は、本発明が１つ以上の特定の詳細なしに実施されてもよいこと、他の方法、コンポーネント、素材等を用いて実施されてもよいことを認識する。他の場合にも、本発明の態様を曖昧にすることを回避するため、周知の構造、素材又は動作は詳細には図示又は説明されていない。
【０１２２】
以下の例は、１つ以上の特定の用途における本発明の原理の例であり、本発明の原理及び概念を逸脱することなく、発明能力を発揮せずに実装の形式、使用及び詳細において複数の変更が行われてもよいことは、当業者に明らかである。従って、本発明は、以下に示す特許請求の範囲を除き、限定されないことを意図する。
【図１】
2015511091.tif 000003
【図２】
2015511091.tif 000004
【図３】
2015511091.tif 000005
【図４】
2015511091.tif 000006
【図５】
2015511091.tif 000007
【図６】
2015511091.tif 000008
【図７】
2015511091.tif 000009
【図８】
2015511091.tif 000010
【図９】
2015511091.tif 000011
【図１０】
2015511091.tif 000012
【図１１】
2015511091.tif 000013
【図１２】
2015511091.tif 000014
【図１３】
2015511091.tif 000015
【国際調査報告】
2015511091.tif 000016
2015511091.tif 000017
2015511091.tif 000018
2015511091.tif 000019